(57)【要約】【課題】  地震等の災害等の際に有用なレスキューバッグであって、プライバシーの保護に万全を期することができるレスキューバッグ提供すること。【解決手段】本発明に係るレスキューバッグ１は、外袋２と、その外袋２の内側に取り付けられる内袋３からなり、プライバシーの保護を図りつつ、下着等の衣類を前記内袋３に収容して洗濯する機能と、その洗濯した衣類をそのまま干せる機能を備えている。前記外袋２は、一方の底面が開口された略長方体状のもので、その開口された開口部２０と、開口部２０から立ち下がる側面２１と、その側面２１の終端に形成された他方の底面２２を備えている。前記内袋３は、開口３０を備えたポケット部３１と、前記心材２４と共に縫合される縫合部３２を備えており、前記開口３０を介して、洗濯物をポケット部３１に収容できるようになっている。【選択図】        図１
2018175476.tif 000002
【特許請求の範囲】
【請求項１】
外袋と、その外袋の内側に取り付けられる内袋からなるレスキューバッグであって、下着等の衣類を前記内袋に収容して洗濯することができる手段と、その洗濯した衣類を干すことができる手段を備えると共に、前記洗濯することができる手段として、内袋はメッシュであることを特徴とするレスキューバッグ。
【請求項２】
前記洗濯した衣類を干すことができる手段として、前記外袋の底面の内側に張られたロープを備えることを特徴とする請求項１に記載のレスキューバッグ。
【請求項３】
前記洗濯した衣類を干すことができる手段として、前記内袋を構成するメッシュの「目開き」は、約２ｍｍ以下のものであって、前記内袋に収容される洗濯物の内容が判別し難くなる「目開き」を備えたことを特徴とする請求項１に記載のレスキューバッグ。
【請求項４】
前記内袋は、前記外袋の開口部の縁部に取り付けられている特徴とする請求項１に記載のレスキューバッグ。
【発明の詳細な説明】
【技術分野】
【０００１】
本願発明は、地震等の災害等の際に有用なレスキューバッグに関する。
【背景技術】
【０００２】
地震等の災害が発生した場合、区市町村から「避難指示」が出される場合がある。
その場合には、近所の公園等の一時集合場所に集まり、待機して、状況が落ち着けば、自宅等に戻り、その被害状況を確認し、自宅等の被害が、生活できない状況にあれば、避難所に避難することとなる。
避難所生活の心得として、ルールを守り、各避難者が生活していく上での役割を分担しつつ、生活していくことが求められる。
例えば、衣類の洗濯等は、洗濯ボランティアに依存することもその手段であるが、下着類等の洗濯は、プライバシーの問題でもあり、他人に任せることが難しい。
このような状況においては、洗濯したいときに、他人に任せることなく、気軽に洗濯できる手段があれば、避難所等の生活において、ストレス解消の一助となりうる。
また、下着類を人の目にふれずに干すことができることは、女性を性犯罪から守る犯罪抑止にもなる。
【０００３】
その洗濯の手段として、特許文献１は、下着類等を洗濯することができる。「洗濯用袋」を開示している。
この「洗濯用袋」は、「非通気性と非透水性のあるシートで形成され、一端に開口を有する袋であって、開口した一辺の端縁部分に、開口を開閉自在に気密に閉塞部材を設け密封可能な手洗い洗濯用袋において、前記袋の内外に通じる気体注入口と液体注入口と液体排出口が取り付けられるとともに、前記気体注入口と前記液体注入口と前記液体排出口に開閉自在に気密に密封するための密封手段を設けたこと」を特徴とするものである。
【先行技術文献】
【特許文献】
【０００４】
【特許文献１】特開２０１３−３４８０６号公報
【発明の概要】
【発明が解決しようとする課題】
【０００５】
しかし、この「洗濯用袋」に対しては、次のような課題を指摘することができる。
１）  袋本体に、気体注入口と液体注入口と液体排出口が取り付けられていて、それらの使用方法が複雑である、
２）  脱水の方法として、「図８に示すように袋本体（１）の上端部近傍に設けた持ち手（１７）を持ち上端部が内心で下端部が遠心になるように素早く回転させ遠心力により脱水を行う」とされているが、その方法も煩雑である、
３）  脱水後に、洗濯物を干す必要があり、その際にもプライバシーの保護が図られることが望ましいが、これを示唆する構成は開示されていない。
【０００６】
そこで、本願発明は、上記課題を解決しつつ、プライバシーの保護に万全を期することができるレスキューバッグを提供することとする。
【課題を解決するための手段】
【０００７】
上記課題を解決するため、外袋と、その外袋の内側に取り付けられる内袋からなるレスキューバッグにおいて、下着等の衣類（以下、洗濯物と称する）を前記内袋に収容して洗濯することができる手段（以下、洗濯手段と称する）と、その洗濯物を干すことができる手段（以下、干す手段と称する）を備えると共に、前記洗濯手段として、内袋はメッシュであることを特徴とするレスキューバッグ（以下、バッグと略称する場合がある）とした。（請求項１に記載の発明）。
【０００８】
前記干す手段として、前記外袋の底面の内側に張られたロープを備えることを特徴とするバッグとした（請求項２に記載の発明）。
【０００９】
前記干す手段として、前記内袋を構成するメッシュの「目開き」は、約２ｍｍ以下のものであって、前記内袋に収容される洗濯物の内容が判別し難くなる「目開き」を備えたことを特徴とするバッグとした（請求項３に記載の発明）。
【００１０】
前記内袋は、前記外袋の開口部の縁部に取り付けられている特徴とするバッグとした（請求項４に記載の発明）。
【発明の効果】
【００１１】
本願発明のバッグは、外袋と、その外袋の内側に取り付けられる内袋から構成されており、その簡素な構成により、使用方法も簡単なものとなっている。
また、本願発明のバッグは、洗濯手段に加えて、洗濯物を干す手段を備えており、プライバシーの保護を図ることができる。
【図面の簡単な説明】
【００１２】
【図１】本発明に係るバッグの斜視図、
【図２】同バッグの分解斜視図、
【図３】（１）同バッグに用いられる紐の平面図、（２）同紐が張られた同バッグの表側の底面図、（３）同紐が張られた同バッグの裏側の底面図、
【図４】同バッグによる洗濯方法の説明図、
【図５】同バッグによる洗濯方法の説明図、
【図６】同バッグによる洗濯物を干す方法の説明図、
【図７】同バッグによる洗濯物を干す方法の説明図である。
【発明を実施するための形態】
【００１３】
本発明に係るレスキューバッグ１は、図１に図示したように、外袋２と、その外袋２の内側に取り付けられる内袋３からなり、プライバシーの保護を図りつつ、下着等の衣類を前記内袋３に収容して洗濯する洗濯手段と、その洗濯した衣類をそのまま干せる干す手段を備えている。
【００１４】
前記外袋２は、図２のように、一方の底面が開口された略長方体状のもので、その開口された開口部２０と、開口部２０から立ち下がる側面２１と、その側面２１の終端に形成された他方の底面２２を備えている。
【００１５】
前記開口部２０には、その縁部２３の略半周に沿って、長尺状の心材２４が縫合され、その心材２４の外側に、前記心材２４よりも長尺状のバンド材２５が縫合されている。
前記バンド材２５の両端には、リング部２６が形成されて、各リング部２６に、それぞれ雄雌のバックル４が設けられている。
【００１６】
前記底面２２の外側の表面２２０には、図１及び図３（２）に図示するように、紐（ロープとも称する）５を通して取付けることができるタグ（付箋）状のリング輪２７が設けられている。
前記リング輪２７は、前記底面２２の対向する各辺２２１に、それぞれ対向する位置に固定されている。
【００１７】
前記底面２２の裏面２２３、即ち、前記外袋２の内側の底面２２にも、図３（３）のようにロープ５を通して取付けることができるタグ状のリング輪２７が設けられている。
前記リング輪２７は、長いロープを最小限の巻き数で取り付けることができるように、例えば前記底面２２の略各頂点に対応する位置に固定されて４か所で取り付けられている。
【００１８】
前記紐５は、図３（１）のように、短い紐５０と長い紐５１を備え、前記バッグ１を肩に吊り下げる際に使用できるように十分な長さのもの、その他、他の用途に転用できるような十分な長さのものを用意する。
かかる前記紐５は、例えばパラシュートコードで、耐荷重２５０ｋｇ程度のものを用いる。
【００１９】
短い紐５０は、図３（２）のように前記リング輪２７に取付けられ、このバッグ１を用いて洗濯する際に使用されたり、洗濯後に洗濯したものを干す際に、そのバッグ１を吊る手段として使用される（詳細は後述）。
【００２０】
長い紐５１は、図３（３）のように、○１〜○７の順序に前記ロープ５を通して、前記ロープ５の両端を連結させる。
同図に図示されている対角線状のロープ５３は、洗濯したものを干す場合に、その洗濯物を前記底面２２とロープ５で挟むことができる空間（挟持空間）５４を形成するものである。
即ち、対角線状のロープ５３は、各リング輪２７間において、底面２２とロープ５の間で前記挟持空間５４の幅を最大限に形成できるようにして、洗濯物を干す作業の迅速性、容易性を確保できるようにしている。
【００２１】
以上のように構成される外袋２は、その素材に特に限定されるものはないが、例えば、ナイロン等の合成樹脂等で構成され、その内側に防水加工が施されている。シール性とフィルム膜性を両立させることができるエチレン−メチルメタアクリレート共重合体を主原料とした混合物（エチレン−メチルメタアクリレート共重合体＋ポリエチレン）を用いて、その外観がエンボス加工されたフィルム（防水）のものでもよい。
このような外袋２は、概ね、底面２２が約１８センチメートル×１８センチメートルで、側面２１の高さが約３９センチメートルに構成されている。
前記外袋２の縫合は、一旦、熱溶着した上で、その上をふちまきして縫製しているので、防水性に優れている。
【００２２】
前記内袋３は、図２のように、開口３０を備えたポケット部３１と、前記心材２４と共に縫合される縫合部３２を備えており、前記開口３０を介して、洗濯物をポケット部３１に収容できるようになっている。
【００２３】
前記内袋３は、網目構造からなるメッシュにより構成されており、例えば網目状に織られた繊維の織物として繊維メッシュにより構成されている。
前記メッシュの「目開き」は、約２ｍｍ以下のもので、前記ポケット部３１に収容される洗濯物の内容が判別し難くなる「目開き」を備えたものを用いることが好ましい。
【００２４】
以上のように構成されたバッグを用いる洗濯方法は、次のとおりである。
（１）  前記外袋２の開口部２０及び内袋３の開口３０から、洗濯物、洗剤及び水を入れる。
（２）  前記心材２４を芯にして、前記バンド材２５を巻いて、前記外袋２の開口部２０を密封して、前記バンド材２５の両端の雄雌のバックル４を結合させて、図４のように外袋２の一端に把持輪２８を形成する。
（３）  前記把持輪２８と前記底面２２に取り付けられたロープ５を持ち、前記バック１を伸縮させ、シェイクさせて、また、前記外袋２の外側から揉み洗いする。
このとき、前記内袋３のポケット部３１に収容された洗濯物は、メッシュの横線（織目の横糸）と縦線（織目の縦糸）と網目により形成される凹凸により、擦られて、洗濯物の汚れを落とすことができる洗浄力を高めることができる。
よって、前記内袋３のメッシュは、洗濯手段として構成することができる。
【００２５】
（４）  その後、そのまま「漬置」を行い、前記開口部２０を巻き戻して、開口部２０から脱水する。
【００２６】
（５）  脱水後、「すすぎ」を行うために前記開口部２０から水を入れて、上記（２）及び（３）と同様の手順により、洗濯物をすすぎ、その後、前記開口部２０を巻き戻して、開口部２０から脱水する。
（６）  脱水後に図５のように、外袋２の開口部２０から前記内袋３及び内袋３に収容されている洗濯物を外側に出して、前記内袋３のメッシュを利用して絞る。
このときも、メッシュの前記凹凸により洗濯物に対する摩擦力が増大されて、把持し易くなっており、絞る力が洗濯物に効率よく伝達されるようになっている。
この点からも、前記内袋３のメッシュは、洗濯手段として構成することができる。
【００２７】
以上のように洗濯された洗濯物を干す方法は、次のとおりである。
（７）  上記（６）のように洗濯物を絞った後、前記内袋３から洗濯物を取り出し、図６のように、前記外袋２の底面２２に張られたロープ５の挟持空間５４に洗濯物６の一部を挟んで、吊り下げる。そして、図７のように前記外袋２の底面２２表側のロープ５を利用して、バック１を吊下げる。
また、前記ロープ５は、その両端が結合されているが、その結合を解いて、セパレートさせたロープ５に洗濯物６を通して、再びロープ５の両端が結合させて干してもよい。
よって、前記ロープ５は、干す手段として構成されている。
【００２８】
前記内袋３は前記外袋２の開口部２０の縁部２３において、前記縫合部３２でのみ外袋２に固定されているので、図７のように、外袋２の開口部２０から外側に前記内袋３を垂下させるようにしてもよい。
よって、前記ロープ５の挟持空間５４に挟まれた洗濯物６が長いもので、その洗濯物６の一部が前記外袋２の開口部２０から外側に露出しても、その露出部分は垂下された前記内袋３にカバーされ、洗濯物６の内容を判別し難くすることができる。
この点において、前記内袋３のメッシュは、干す手段として構成することができる。
なお、前記洗濯物６の露出部分をカバーするものとして、開口部２０の縁部２３に、カバー材を縫い合わせて、前記内袋３と共に、開口部２０から外側に垂下させてもよい。
【００２９】
（８）  上記（７）のように洗濯物を干す方法とは別に、次のような方法も可能である。
前記内袋３のメッシュが前記ポケット部３１に収容される洗濯物６の内容が判別し難くなる「目開き」を備えたものである場合には、図７のように外袋２の開口部２０から外側に垂下させ、その洗濯物６を内袋３のポケット部３１に収容したまま、干すこともできる。
この方法による場合には、前記内袋３のメッシュの通気性が洗濯物に作用される。
この場合にも、前記内袋３のメッシュは、干す手段として構成することができる。
【００３０】
以上のように、本願発明のバッグ１は、外袋２と、その外袋２の内側に取り付けられる内袋３から構成されており、その簡素な構成により、使用方法も簡単なものとなっている。
また、本願発明のバッグ１は、洗濯手段に加えて、洗濯物を干す手段を備えており、私生活上の事柄を覗き見られたくないという個人の利益を保護するプライバシーの法益にも資することとなる。
特に、女性にとって、集団生活の中においても下着類を干すことができる本発明のバッグは、女性に有用で本願発明の優れた点である。
【００３１】
前記バッグ１は、上述の洗濯機能及び干す機能の他、水を運ぶことができる機能、氷嚢としての機能を備えている。
また、前記バッグ１に、竹布使用の下着類で抗菌防臭効果を備えたもの、洗剤等をセットさせることにより、レスキューバッグとしての機能を高めることができる。
【００３２】
本発明は、以上説明した実施形態に限定されるものではなく、多くの変形が本発明の技術的思想内で当分野において、通常の知識を有する者により可能である。
【符号の説明】
【００３３】
１  レスキューバッグ（バッグ）
２  外袋                                ２０  開口部
２１  側面                              ２２  底面
２３  縁部                              ２４  心材
２５  バンド材                          ２６  リング部
２７  リング輪                          ２８  把持輪
２２０  底面の外側表面
２２１  底面の各辺
２２３  底面の裏面
３  内袋
３０  開口                              ３１  ポケット部
３２  縫合部
４  バックル
５  紐（ロープ）
５０  短い紐                            ５１  長い紐
５３  対角線状のロープ                  ５４  空間（挟持空間）
６  洗濯物
【図１】
2018175476.tif 000003
【図２】
2018175476.tif 000004
【図３】
2018175476.tif 000005
【図４】
2018175476.tif 000006
【図５】
2018175476.tif 000007
【図６】
2018175476.tif 000008
【図７】
2018175476.tif 000009
【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
外袋と、その外袋の内側に取り付けられる内袋からなるレスキューバッグであって、下着等の衣類を前記内袋に収容して洗濯することができる手段と、その洗濯した衣類を干すことができる手段を備えると共に、前記洗濯することができる手段として、内袋はメッシュであり、
前記洗濯物を干すことができる手段として、前記外袋の底面の内側に張られたロープを備え、
前記ロープは、前記外袋の内側の底面に設けられたリング輪に取り付けられ、かつ、
洗濯した衣類を干す場合に、その洗濯した衣類を前記底面と前記ロープで挟むことができる空間を形成し、
前記外袋の開口部には、バンド材が設けられており、
前記バンド材の両端には、リング部が形成されて、各リング部に、それぞれ雄雌のバックルが設けられていることを特徴とするレスキューバッグ。
【請求項２】
前記洗濯した衣類を干すことができる手段として、前記内袋を構成するメッシュの「目開き」は、２ｍｍ以下のものであって、前記内袋に収容される衣類の内容が判別し難くなる「目開き」を備えたことを特徴とする請求項１に記載のレスキューバッグ。
【請求項３】
前記内袋は、前記外袋の開口部の縁部に取り付けられていることを特徴とする請求項１に記載のレスキューバッグ。
【手続補正２】
【補正対象書類名】明細書
【補正対象項目名】０００７
【補正方法】変更
【補正の内容】
【０００７】
上記課題を解決するため、外袋と、その外袋の内側に取り付けられる内袋からなるレスキューバッグにおいて、下着等の衣類（以下、洗濯物と称する）を前記内袋に収容して洗濯することができる手段（以下、洗濯手段と称する）と、その洗濯物を干すことができる手段（以下、干す手段と称する）を備えると共に、前記洗濯手段として、内袋はメッシュであり、前記洗濯物を干すことができる手段として、前記外袋の底面の内側に張られたロープを備え、前記ロープは、前記外袋の内側の底面に設けられたリング輪に取り付けられ、かつ、洗濯した衣類を干す場合に、その洗濯した衣類を前記底面と前記ロープで挟むことができる空間を形成し、前記外袋の開口部には、バンド材が設けられており、前記バンド材の両端には、リング部が形成されて、各リング部に、それぞれ雄雌のバックルが設けられていることを特徴とするレスキューバッグ（以下、バッグと略称する場合がある）とした。（請求項１に記載の発明）。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
前記干す手段として、前記内袋を構成するメッシュの「目開き」は、２ｍｍ以下のものであって、前記内袋に収容される衣類の内容が判別し難くなる「目開き」を備えたことを特徴とするバッグとした（請求項２に記載の発明）。
【手続補正５】
【補正対象書類名】明細書
【補正対象項目名】００１０
【補正方法】変更
【補正の内容】
【００１０】
前記内袋は、前記外袋の開口部の縁部に取り付けられていることを特徴とするバッグとした（請求項３に記載の発明）。
【手続補正６】
【補正対象書類名】明細書
【補正対象項目名】００２３
【補正方法】変更
【補正の内容】
【００２３】
前記内袋３は、網目構造からなるメッシュにより構成されており、例えば網目状に織られた繊維の織物として繊維メッシュにより構成されている。
前記メッシュの「目開き」は、２ｍｍ以下のもので、前記ポケット部３１に収容される衣類の内容が判別し難くなる「目開き」を備えたものを用いることが好ましい。